Podtech/llm-jp-corpus-v4-ja_patent huggingface dataset:
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
蓄冷装置であって、
蓄冷室及び貯蔵室を内部に有する筐体と、
前記蓄冷室において特定の方向に配列され、当該蓄冷装置が前記貯蔵室を保冷する保冷モードで運転するときに冷熱を放出する複数の蓄冷体と、
前記複数の蓄冷体が配列された面内において前記特定の方向と交わる方向に沿って前記蓄冷体同士の間に形成された流路を通過する空気の流れを生じさせ、前記蓄冷体によって冷却された空気を前記蓄冷室と前記貯蔵室との間で循環させる送風機と、
前記空気の流れ方向において少なくとも１つの前記流路の上流に形成された前記蓄冷室の上流空間及び前記空気の流れ方向において少なくとも１つの前記流路の下流に形成された前記蓄冷室の下流空間の空気の温度を検出する第一温度センサと、
前記第一温度センサによって検出された空気の温度と、基準として定められた状態である基準状態における前記蓄冷体の蓄冷量とに基づいて、前記基準状態以降の前記蓄冷体の状態を示す状態情報を生成する表示情報生成器と、
前記状態情報を表示する表示部と、を備えた、
蓄冷装置。
【請求項２】
前記表示情報生成器は、単位時間あたりに前記空気の流れを形成する空気の熱容量に関する情報をさらに用いて、前記状態情報を生成する、請求項１に関する蓄冷装置。
【請求項３】
前記貯蔵室における空気の温度を検出する第二温度センサをさらに備え、
前記送風機は、前記第二温度センサによって検出された温度が上限値以上になった時に作動し始め、かつ、前記第二温度センサによって検出された温度が前記上限値より低い下限値以下になった時に停止し、
前記表示情報生成器は、前記筐体の外部の空気の温度である外気温度に関する情報と、前記送風機の作動開始から前記送風機の停止までの時間とを用いて、前記基準状態における前記蓄冷体の前記蓄冷量を決定する、請求項１又は２に記載の蓄冷装置。
【請求項４】
前記表示情報生成器は、前記送風機の停止から前記送風機の作動再開までの時間を用いて、前記外気温度に関する情報を決定する、請求項３に記載の蓄冷装置。
【請求項５】
前記蓄冷体の温度を検出する第三温度センサをさらに備え、
前記蓄冷体は、前記基準状態において、前記第三温度センサによって検出された温度が前記貯蔵室における空気の温度の目標値よりも所定の温度以上低くなる状態をもたらす冷熱を蓄えている、請求項１から４のいずれか１項に記載の蓄冷装置。
【請求項６】
前記状態情報は、前記蓄冷体の蓄冷量の残量である蓄冷残量、前記貯蔵室を保冷可能な時間である保冷可能時間、及び前記蓄冷体に含まれる蓄冷材料の一部又は全部を固化させるまでに必要な時間の少なくとも１つである、請求項１から５のいずれか１項に記載の蓄冷装置。
【請求項７】
前記送風機は、当該送風機が予め定められた時間以上連続的に作動した場合に、当該送風機によって送り出される空気の流量を増加させて断続的に作動する、請求項３に記載の蓄冷装置。
【請求項８】
前記表示情報生成器は、当該蓄冷装置が前記保冷モードで運転し始めた時の前記蓄冷体の蓄冷量を前記基準状態における前記蓄冷体の前記蓄冷量として用いて前記状態情報を生成する、請求項１から７のいずれか１項に記載の蓄冷装置。
【請求項９】
前記表示情報生成器は、前記蓄冷体に含まれる蓄冷材料の全体が所定の温度で固化している状態である完全蓄冷状態における前記蓄冷体の蓄冷量を前記基準状態における前記蓄冷体の前記蓄冷量として用いて前記状態情報を生成する、請求項１、２、５、及び６のいずれか１項に記載の蓄冷装置。
【請求項１０】
蓄冷装置の蓄冷体の状態を示す情報を表示する方法であって、
送風機を用いて、前記蓄冷装置の内部の蓄冷室で複数の蓄冷体が特定の方向に配列された面内において前記特定の方向と交わる方向に沿って前記蓄冷体同士の間に形成された流路を通過する空気の流れを生じさせ、前記蓄冷体によって冷却された空気を前記蓄冷室と前記蓄冷装置の内部の貯蔵室との間で循環させ、
第一温度センサを用いて、前記空気の流れ方向において少なくとも１つの前記流路の上流に形成された前記蓄冷室の上流空間及び前記空気の流れ方向において少なくとも１つの前記流路の下流に形成された前記蓄冷室の下流空間の空気の温度を検出し、
表示情報生成器を用いて、前記第一温度センサによって検出された空気の温度と、基準として定められた状態である基準状態における前記蓄冷体の蓄冷量とに基づいて、前記基準状態以降の前記蓄冷体の状態を示す状態情報を生成し、
前記状態情報を表示部に表示する、
方法。
【請求項１１】
蓄冷体の状態を示す情報を求める方法であって、
特定の方向に配列された複数の蓄冷体に対して前記蓄冷体同士の間に形成された流路を通過する空気の流れを生じさせて前記空気を冷却する工程と、
前記空気の流れ方向において前記流路の上流空間における前記空気の第１温度及び前記空気の流れ方向において前記流路の下流空間における前記空気の第２温度を検出する工程と、
前記第１温度と、前記第２温度と、基準として定められた状態である基準状態における前記蓄冷体の蓄冷量とに基づいて、前記基準状態以降の前記蓄冷体の状態を示す状態情報を生成する工程と、を有する
方法。
【請求項１２】
前記状態情報を生成する工程は、温度範囲毎に空気の熱容量に関する物性値を記憶したテーブルから前記物性値を選択し、前記物性値を用いて前記状態情報を生成する、請求項１１に記載の方法。
【請求項１３】
前記状態情報は、前記蓄冷体の蓄冷量の残量である蓄冷残量、保冷すべき空間を保冷可能な時間である保冷可能時間、及び前記蓄冷体に含まれる蓄冷材料の一部又は全部を固化させるまでに必要な時間のうち少なくとも１つである、請求項１１または１２に記載の方法。
【請求項１４】
前記空気を冷却する工程は、
保冷すべき空間に配置された送風機を用いて前記空気の流れを生じさせる工程と、
前記保冷すべき空間の温度があらかじめ設定された温度以下になったときに前記送風機を停止させる工程と、を含む、
請求項１１から１３のいずれか一項に記載の方法。
【手続補正２】
【補正対象書類名】明細書
【補正対象項目名】発明の名称
【補正方法】変更
【補正の内容】
【発明の名称】蓄冷装置、蓄冷体の状態を示す情報を表示する方法、及び蓄冷体の状態を示す情報を求める方法
【手続補正書】
【提出日】平成30年12月11日(2018.12.11)
【手続補正１】
【補正対象書類名】明細書
【補正対象項目名】００３８
【補正方法】変更
【補正の内容】
【００３８】
吸い上げ管(35)の周壁上端面および上端開口周縁部は吸い上げ管(35)の中心線に対して直交した水平面上に位置し、吸い上げ管(35)の周壁下端面および下端開口周縁部は、吸い上げ管(35)の中心線に対して傾斜した１つの傾斜面(I)上に位置している。吸い上げ管(35)における周壁下端面が前記傾斜面(I)に位置している高さ部分を先尖り部(35A)というものとする。吸い上げ管(35)における周壁下端面の最下位部から下端開口周縁部の最上位部までの垂直距離(A)は、嵌合凹部(37)内への嵌合凸部(36)の嵌入深さ(B1)よりも長くなっている。したがって、吸い上げ管(35)を上下逆向きの姿勢にした場合には、図７に示すように、嵌合凸部(40)を嵌合凹部(41)内に嵌め入れたとしても嵌入深さが浅くなって簡単に抜けてしまい、吸い上げ管(35)を仕切部材(29)に取り付けることが困難になる。また、吸い上げ管(35)の周壁の最下位部は、受液器(2)の受液器本体(22)の下端閉鎖部材(24)の上面に当接している。
【手続補正２】
【補正対象書類名】明細書
【補正対象項目名】００４０
【補正方法】変更
【補正の内容】
【００４０】
(1)：コンデンサ
(1A)：凝縮部
(1B)：過冷却部
(2)：受液器
(3)：熱交換管
(24)：下端閉鎖部材(下端閉鎖壁)
(26)：受液器側冷媒流入口
(27)：受液器側冷媒流出口
(29)：仕切部材
(31)：第１空間
(32)：第２空間
(34)：貫通穴
(35)：吸い上げ管
(36)(40)：嵌合凸部
(36a)：流路
(37)(41)：嵌合凹部
(A)：垂直距離
(B)(B1)：嵌入深さ
(I)：傾斜面
(P1)(P2)：熱交換パス
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
物体側表面及び画像側表面と、
外向きミラー表面及び内向き不透明表面を有する少なくとも一つのクローキング領域(CR)境界平面と、
前記CR境界平面の前記内向き不透明表面により少なくとも部分的に境界付けられたCRと、
前記外向きミラー表面から離間されると共に、それに対して概略的に平行であるハーフミラーと、
を備えるクローキング・デバイスであって、
当該クローキング・デバイスの前記物体側表面上に配置されると共に前記CRにより視認不能化された物体からの光は、前記CRの回りで方向変換されて、前記物体からの前記光が前記CRを通過して見える如く、当該クローキング・デバイスの前記画像側表面上に前記物体の画像を形成する、
クローキング・デバイス。
【請求項２】
前記ハーフミラーは、ｐ偏光型ハーフミラー及びｓ偏光型ハーフミラーから選択される、請求項１に記載のクローキング・デバイス。
【請求項３】
当該クローキング・デバイスは、前記CR内に位置された部材を更に備え、
当該クローキング・デバイスの前記物体側表面上に配置され且つ前記CRにより視認不能化された前記物体からの前記光は、前記CR及び前記部材の回りで方向変換されて、前記部材が透明に見える如く、当該クローキング・デバイスの前記画像側表面上に前記物体の画像を形成する、請求項２に記載のクローキング・デバイス。
【請求項４】
前記部材は、車両のAピラー、車両のBピラー、及び、車両のCピラーから成る群から選択される、請求項３に記載のクローキング・デバイス。
【請求項５】
当該クローキング・デバイスは、
相互に対して非平面的に位置された少なくとも２つのCR境界平面であって、該少なくとも２つのCR境界平面の各々は、外向きミラー表面及び内向き不透明表面を有し、前記CRは少なくとも部分的に該少なくとも２つのCR境界平面の前記内向き不透明表面により境界付けられる、という少なくとも２つのCR境界平面と、
外向きミラー表面の各々に対してハーフミラーが離間され且つそれに対して概略的に平行である如く、外向きミラー表面に対して離間され且つそれに対して概略的に平行である少なくとも２枚のハーフミラーと、
を更に備え、
当該クローキング・デバイスの前記物体側表面上に配置され且つ前記CRにより視認不能化された前記物体からの前記光は、前記少なくとも２つの外向きミラー表面及び前記少なくとも２枚のハーフミラーにより前記CRの回りで方向変換され、且つ、前記物体の前記画像は、当該クローキング・デバイスの前記物体側表面上に配置された前記物体からの前記光が前記CRを通過して見える如く、当該クローキング・デバイスの前記画像側表面上に形成される、請求項４に記載のクローキング・デバイス。
【請求項６】
前記少なくとも２つのCR境界平面は、相互に直交して位置される、請求項５に記載のクローキング・デバイス。
【請求項７】
前記少なくとも２枚のハーフミラーの一方はｐ偏光型ハーフミラーであり、且つ、前記少なくとも２枚のハーフミラーの他方はｓ偏光型ハーフミラーである、請求項６に記載のクローキング・デバイス。
【請求項８】
当該クローキング・デバイスの前記物体側表面上の前記物体からの前記光は、前記物体の前記画像を当該クローキング・デバイスの前記画像側表面上に形成する前に、第１の外向きミラー表面と、該第１の外向きミラー表面に対して平行に位置された第１ハーフミラーと、該第１ハーフミラーに対して直交して位置された第２ハーフミラーと、該第２ハーフミラーに対して平行に位置された第２の外向きミラー表面と、により反射される、請求項７に記載のクローキング・デバイス。
【請求項９】
当該クローキング・デバイスは、外端部表面を更に備え、
前記外端部表面に隣接して位置された要素からの前記光のｐモードもしくはｓモードは、該要素の前記画像を前記クローキング・アセンブリの前記画像側表面上に形成する前に、前記第２ハーフミラーから反射される、請求項８に記載のクローキング・デバイス。
【請求項１０】
前記第２ハーフミラーから反射されない前記要素からの光のｓモードまたはｐモードは、前記要素の前記画像を前記クローキング・アセンブリの前記画像側表面上に形成する前に、前記第２ハーフミラーを通して透過される、請求項９に記載のクローキング・デバイス。
【請求項１１】
当該クローキング・デバイスは、
相互に対して非平面的に位置された４つのCR境界平面であって、各々が、外向きミラー表面及び内向き不透明表面を有するという４つのCR境界平面と、
前記４つのCR境界平面の内向き不透明表面により境界付けられたCRと、
少なくとも部分的に前記CR内に配置された部材と、
各外向きミラー表面に対してハーフミラーが離間され且つそれに対して概略的に平行である如く、外向きミラー表面に対して離間され且つそれに対して概略的に平行である４枚のハーフミラーと、
を更に備え、
該クローキング・デバイスの物体側表面上の物体からの光は、前記CRの回りで方向変換されると共に、当該クローキング・デバイスの画像側表面上に画像として現れ、且つ、当該クローキング・デバイスの前記画像側表面を視認している観測者に対して視認可能であり、
前記CR内の前記部材は、該CR内の前記部材が、当該クローキング・デバイスの前記画像側表面を視認している前記観測者に対して透明に見える如く、当該クローキング・デバイスの前記画像側表面を視認している前記観測者に対して視認可能でない、
請求項１０に記載のクローキング・デバイス。
【請求項１２】
前記ハーフミラーの内の２枚はｐ偏光型ハーフミラーであり、且つ、前記ハーフミラーの内の２枚はｓ偏光型ハーフミラーである、請求項１１に記載のクローキング・デバイス。
【請求項１３】
当該クローキング・デバイスは、外端部表面を更に備え、
前記外端部表面に隣接して位置された要素からの光は、当該クローキング・デバイスの前記画像側表面上に前記要素の画像を形成する、請求項１２に記載のクローキング・デバイス。
【請求項１４】
前記外端部表面に隣接して位置された要素からの光は、該要素の前記画像を当該クローキング・デバイスの前記画像側表面上に形成する前に、前記第２ハーフミラー及び前記第２の外向きミラー表面の少なくとも一方により反射される、請求項１３に記載のクローキング・デバイス。
【請求項１５】
当該クローキング・デバイスは、前記画像側表面上に、または、それに隣接して位置された少なくとも一枚の四分の一波長板を更に備え、
当該クローキング・デバイスの前記物体側表面上に配置された前記物体からの光は、前記物体の前記画像を当該クローキング・デバイスの前記画像側表面上に形成する前に、前記少なくとも一枚の四分の一波長板を通して透過される、請求項１４に記載のクローキング・デバイス。
【手続補正書】
【提出日】令和1年6月3日(2019.6.3)
【手続補正１】
【補正対象書類名】特許請求の範囲
【補正対象項目名】請求項７
【補正方法】変更
【補正の内容】
【請求項７】
車両用空調ユニットであって、
空気が流れる第１上流側通風路（１２１）、該第１上流側通風路と並列に設けられ空気が流れる第２上流側通風路（１２２）、前記第１上流側通風路から流出した空気が流れる第１下流側通風路（１２３）、および、該第１下流側通風路と並列に設けられ前記第２上流側通風路から流出した空気が流れる第２下流側通風路（１２４）が形成された空調ケース（１２）と、
前記空調ケース内に設けられファン軸線（ＣＬ１）まわりに回転する送風ファン（２０１）を有し、該送風ファンの回転により、前記第１上流側通風路と前記第２上流側通風路とから流出した空気を前記ファン軸線の軸方向（ＤＲａ）の一方側から吸い込み且つ該吸い込んだ空気を前記第１下流側通風路と前記第２下流側通風路とへ流す送風機（２０）と、
前記空調ケース内に設けられ、前記送風ファンから流出した空気を前記第１下流側通風路と前記第２下流側通風路とへ案内する複数の下流側案内部材（２８）とを備え、
前記送風ファンは遠心ファンであり、
前記複数の下流側案内部材は、前記送風ファンに対し径方向外側に配置され、該送風ファンの周方向に並んで設けられており、
前記複数の下流側案内部材は、前記送風ファンから流出した空気を前記下流側案内部材に沿わせて流すことにより、前記送風ファンから流出した空気の流速のうち前記送風ファンの回転よって与えられた回転成分を抑制する、車両用空調ユニット。
【手続補正２】
【補正対象書類名】特許請求の範囲
【補正対象項目名】請求項８
【補正方法】変更
【補正の内容】
【請求項８】
前記送風ファンは遠心ファンであり、
前記複数の下流側案内部材は、前記送風ファンに対し径方向外側に配置され、該送風ファンの周方向に並んで設けられている、請求項６に記載の車両用空調ユニット。
【手続補正３】
【補正対象書類名】特許請求の範囲
【補正対象項目名】請求項９
【補正方法】変更
【補正の内容】
【請求項９】
前記複数の下流側案内部材はそれぞれ、前記送風ファンの周方向に対して交差するように設けられた板形状を成し、前記送風ファンの径方向での外側ほど前記送風ファンの回転方向（ＲＴｆ）における順方向側に位置するように曲がっている、請求項７または８に記載の車両用空調ユニット。
【手続補正４】
【補正対象書類名】特許請求の範囲
【補正対象項目名】請求項１０
【補正方法】変更
【補正の内容】
【請求項１０】
前記複数の下流側案内部材はそれぞれ、前記送風ファンの径方向での外側ほど前記送風ファンの周方向に拡幅するように形成されている、請求項７または８に記載の車両用空調ユニット。
【手続補正５】
【補正対象書類名】明細書
【補正対象項目名】００１３
【補正方法】変更
【補正の内容】
【００１３】
また、請求項７に記載の車両用空調ユニットは、
空気が流れる第１上流側通風路（１２１）、その第１上流側通風路と並列に設けられ空気が流れる第２上流側通風路（１２２）、第１上流側通風路から流出した空気が流れる第１下流側通風路（１２３）、および、その第１下流側通風路と並列に設けられ第２上流側通風路から流出した空気が流れる第２下流側通風路（１２４）が形成された空調ケース（１２）と、
空調ケース内に設けられファン軸線（ＣＬ１）まわりに回転する送風ファン（２０１）を有し、その送風ファンの回転により、第１上流側通風路と第２上流側通風路とから流出した空気をファン軸線の軸方向（ＤＲａ）の一方側から吸い込み且つその吸い込んだ空気を第１下流側通風路と第２下流側通風路とへ流す送風機（２０）と、
空調ケース内に設けられ、送風ファンから流出した空気を第１下流側通風路と第２下流側通風路とへ案内する複数の下流側案内部材（２８）とを備え、
送風ファンは遠心ファンであり、
複数の下流側案内部材は、送風ファンに対し径方向外側に配置され、その送風ファンの周方向に並んで設けられており、
複数の下流側案内部材は、送風ファンから流出した空気を下流側案内部材に沿わせて流すことにより、送風ファンから流出した空気の流速のうち送風ファンの回転よって与えられた回転成分を抑制する。
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
シャッター装置（１０，１０Ａ，１０Ｂ，１０Ｃ）であって、
複数枚設けられた板状の部材であって、それぞれがその長手方向に沿った回転軸を中心に回転することにより、空気の流れを遮断する状態と、空気の流れを遮断しない状態と、を切り換えるフィン（２００）と、
前記フィンを回転自在に支持するフレーム（１００）と、
それぞれの前記フィンに駆動力を伝達して動作させるリンク部材（３００）と、を備え、
それぞれの前記フィンには、
前記フレームによって回転自在に支持される部分である支持用突起（２１０）と、
前記リンク部材によって回転自在に支持される部分である駆動用突起（２２０）と、が設けられており、
前記フレームには、それぞれの前記支持用突起を内側に収容する支持用溝（１３０）が、所定方向に沿って後退するように複数形成されており、
前記支持用突起が前記支持用溝から外れてしまうことが、前記リンク部材によって防止されており、
前記リンク部材には、それぞれの前記駆動用突起を内側に収容する駆動用溝（３１０）が、前記所定方向に沿って伸びるように形成されているシャッター装置。
【請求項２】
前記支持用突起は、前記駆動用突起よりも長く形成されており、
前記支持用突起のうち、前記駆動用突起の先端よりも突出している部分が前記リンク部材に当たることにより、前記支持用突起が前記支持用溝から外れてしまうことが防止されている、請求項１に記載のシャッター装置。
【請求項３】
前記駆動用溝の溝幅が、前記支持用突起の太さよりも小さくなっている、請求項１に記載のシャッター装置。
【請求項４】
アクチュエータからの駆動力を前記リンク部材に伝達するための駆動用シャフト（２９１）、を更に備える、請求項１乃至３のいずれか１項に記載のシャッター装置。
【請求項５】
シャッター装置であって、
複数枚設けられた板状の部材であって、それぞれがその長手方向に沿った回転軸を中心に回転することにより、空気の流れを遮断する状態と、空気の流れを遮断しない状態と、を切り換えるフィン（２００）と、
前記フィンを回転自在に支持するフレーム（１００）と、
それぞれの前記フィンに駆動力を伝達して動作させるリンク部材（３００）と、を備え、
それぞれの前記フィンには、
前記フレームによって回転自在に支持される部分である支持用突起（２１０）と、
前記リンク部材によって回転自在に支持される部分である駆動用突起（２２０）と、が設けられており、
前記フレームには、それぞれの前記支持用突起を内側に収容する支持用溝（１３０）が、所定方向に沿って後退するように複数形成されており、
前記支持用突起が前記支持用溝から外れてしまうことが、前記リンク部材によって防止されており、
アクチュエータからの駆動力を前記リンク部材に伝達するための駆動用シャフト（２９１）、を更に備え、
前記駆動用シャフトには、前記リンク部材に接続される部分である接続用突起（２９３）が設けられており、
前記リンク部材には、前記接続用突起を内側に収容する接続用溝（３１０Ａ）が、前記所定方向に沿って伸びるように形成されているシャッター装置。
【手続補正２】
【補正対象書類名】明細書
【補正対象項目名】００１０
【補正方法】変更
【補正の内容】
【００１０】
本開示に係るシャッター装置（１０，１０Ａ，１０Ｂ，１０Ｃ）は、複数枚設けられた板状の部材であって、それぞれがその長手方向に沿った回転軸を中心に回転することにより、空気の流れを遮断する状態と、空気の流れを遮断しない状態と、を切り換えるフィン（２００）と、フィンを回転自在に支持するフレーム（１００）と、それぞれのフィンに駆動力を伝達して動作させるリンク部材（３００）と、を備える。それぞれのフィンには、フレームによって回転自在に支持される部分である支持用突起（２１０）と、リンク部材によって回転自在に支持される部分である駆動用突起（２２０）と、が設けられている。フレームには、それぞれの支持用突起を内側に収容する支持用溝（１３０）が、所定方向に沿って後退するように複数形成されており、支持用突起が支持用溝から外れてしまうことが、リンク部材によって防止されている。リンク部材には、それぞれの駆動用突起を内側に収容する駆動用溝（３１０）が、所定方向に沿って伸びるように形成されている。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
車両用報知装置であって、
車両外における微小粒子濃度を示す外部濃度情報を取得する情報取得部（１３１）と、
乗員に車両内における微小粒子濃度を報知する報知部に対して、微小粒子濃度を示す報知情報を出力する情報出力部（１３２）と、を備え、
前記情報出力部は、起動時において、車両内の微小粒子濃度の初期値として表示させるように、前記外部濃度情報に基づいて前記報知情報を生成して出力し、
前記情報出力部は、乗員が乗車する際のドア開閉時間及び／又は開閉枚数に応じて、前記外部濃度情報を補正して報知情報を生成する、車両用報知装置。
【請求項２】
請求項１に記載の車両用報知装置であって、
前記起動時とは、微小粒子濃度を取得するモードが起動され、車両内の空調を行うブロワが停止されている場合である、車両用報知装置。
【請求項３】
請求項１に記載の車両用報知装置であって、
前記情報出力部は、乗員が乗車する際のドアの開閉時間が所定時間よりも長い場合の方が、乗員が乗車する際のドアの開閉時間が前記所定時間よりも短い場合よりも前記外部濃度情報に近い値を初期値として報知情報を生成する、車両用報知装置。
【請求項４】
請求項１に記載の車両用報知装置であって、
前記情報出力部は、乗員が乗車する際のドア開閉枚数が所定枚数よりも多い場合のほうが、乗員が乗車する際のドア開閉枚数が前記所定枚数よりも少ない場合よりも前記外部濃度情報に近い値を初期値として報知情報を生成する、車両用報知装置。
【請求項５】
請求項４に記載の車両用報知装置であって、
前記所定枚数は１枚である、車両用報知装置。
【請求項６】
請求項１から５のいずれか１項に記載の車両用報知装置であって、
前記情報取得部は、通信手段を介した前記外部濃度情報の取得、又は車両外に搭載されているセンサから前記外部濃度情報の取得を行う、車両用報知装置。
【手続補正書】
【提出日】令和1年9月11日(2019.9.11)
【手続補正１】
【補正対象書類名】明細書
【補正対象項目名】００１５
【補正方法】変更
【補正の内容】
【００１５】
図２に、実施形態１の第１の型９および第２の型１０の模式的な断面図を示す。第１の型９は、図１に示す固定盤７の第２の型１０側の側面上に設けられた固定側取り付け板１３と、固定側取り付け板１３の第２の型１０側に位置して固定側取り付け板１３と間隔を空けて向かい合う固定側型板１４と、固定側取り付け板１３内に少なくとも１つ設けられた貫通孔であるスプル１５と、固定側型板１４内に設けられて固定側取り付け板１３の面内に平行に延在するランナ１６と、固定側型板１４内に位置してランナ１６の両端から第２の型１０側に延在する複数のゲート１７と、固定側取り付け板１３の両端から固定側型板１４内へ固定側取り付け板１３に垂直方向に延在する複数のストップボルト１８と、固定側取り付け板１３の固定側型板１４側に設けられた弾性部材１９と、固定側型板１４から第２の型１０に向かって延在する第１のコアピン１１とを備える。第１のコアピン１１の先端部１１ａは、弾性変形する。第１のコアピン１１の先端部１１ａに用いられる部材は、たとえば、弾性部材を材料とすることができる。弾性部材としては、たとえば、ＰＥＥＫ（ポリエーテルエーテルケトン）、ＰＦＡ（パーフルオロアルコキシアルカンエーテル共重合体）や、ＰＴＦＥ（ポリテトラフルオロエチレン）等のフッ素樹脂、シリコーン樹脂、エポキシ樹脂またはフッ素ゴム等が用いられる。なお、固定側型板１４に、第１のコアピン１１を弾性支持し、第１のコアピン１１の先端部と第２のコアピン１２の先端部とが接触したときのクッションとなる弾性構造２０を設置してもよい。この場合には、第１のコアピン１１および第２のコアピン１２のうちの少なくとも一方に局所的な大きな力がかかることで第１のコアピン１１および第２のコアピン１２のうちの少なくとも一方が破損したり変形したりすることをさらに抑制することができる。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留情報として記憶可能な保留記憶手段と、
前記保留記憶手段に保留情報が新たに記憶されたことに基づいて、当該新たに記憶された保留情報に対応する保留表示を行うとともに、前記保留記憶手段から保留情報が読み出されたことに基づいて、当該読み出された保留情報に対応する保留表示を消去する保留表示手段と、を備え、
前記保留表示手段は、前記保留記憶手段に保留情報が新たに記憶されてから所定期間経過後に、当該保留情報に対応する保留表示を通常態様とは異なる特殊態様で特定期間表示した後に前記通常態様で表示する特殊パターンにより保留表示を表示可能であり、
前記所定期間として、第１所定期間と、前記第１所定期間より長い第２所定期間とを含み、
前記特殊パターンにより表示される保留表示に対応する保留情報に基づく可変表示は、前記特殊パターンにより表示されない保留表示に対応する保留情報に基づく可変表示よりも前記有利状態に制御される期待度が高い、
ことを特徴とする遊技機。
【手続補正２】
【補正対象書類名】明細書
【補正対象項目名】０００７
【補正方法】変更
【補正の内容】
【０００７】
（Ａ）上記目的を達成するため、本発明に係る遊技機は、
可変表示を行い、遊技者にとって有利な有利状態に制御可能な遊技機であって、
可変表示に関する情報を保留情報として記憶可能な保留記憶手段と、
前記保留記憶手段に保留情報が新たに記憶されたことに基づいて、当該新たに記憶された保留情報に対応する保留表示を行うとともに、前記保留記憶手段から保留情報が読み出されたことに基づいて、当該読み出された保留情報に対応する保留表示を消去する保留表示手段と、を備え、
前記保留表示手段は、前記保留記憶手段に保留情報が新たに記憶されてから所定期間経過後に、当該保留情報に対応する保留表示を通常態様とは異なる特殊態様で特定期間表示した後に前記通常態様で表示する特殊パターンにより保留表示を表示可能であり、
前記所定期間として、第１所定期間と、前記第１所定期間より長い第２所定期間とを含み、
前記特殊パターンにより表示される保留表示に対応する保留情報に基づく可変表示は、前記特殊パターンにより表示されない保留表示に対応する保留情報に基づく可変表示よりも前記有利状態に制御される期待度が高い。
（１）上記目的を達成するため、他の態様に係る遊技機は、
可変表示を行い、遊技者にとって有利な有利状態（例えば大当り遊技状態など）に制御可能な遊技機（例えばパチンコ遊技機１など）であって、
可変表示に関する情報を保留情報として記憶可能な保留記憶手段（例えば、第１始動入賞時コマンドバッファや第２始動入賞時コマンドバッファなど）と、
前記保留記憶手段に保留情報が新たに記憶されたことに基づいて、当該新たに記憶された保留情報に対応する保留表示を行うとともに、前記保留記憶手段から保留情報が読み出されたことに基づいて、当該読み出された保留情報に対応する保留表示を消去する保留表示手段（例えば、第１保留表示部５ＨＬや第２保留表示部５ＨＲなど）と、
前記保留記憶手段に保留情報が新たに記憶されてから所定期間経過後に、当該保留情報に対応する保留表示を通常態様とは異なる特殊態様で短時間だけ表示した後に前記通常態様で表示する保留変化演出を実行する保留変化演出実行手段（例えば、ステップＳ８０３を実行する演出制御用ＣＰＵ１２０など）と、を備え、
前記短時間は、最短の可変表示時間を有する可変表示の可変表示時間よりも短く、
前記保留変化演出が実行される保留表示に対応する保留情報に基づく可変表示は、前記保留変化演出が実行されない保留表示に対応する保留情報に基づく可変表示よりも前記有利状態に制御される期待度が高い。
このような構成によれば、可変表示への注目が薄れることを抑制することができる。また、このような構成によれば、可変表示の途中に保留表示が特殊態様で表示されるため、新たな遊技性を与えることができる。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
１ベットランプと、
２ベットランプと、
３ベットランプと、
リプレイランプと、
スタートランプと、
遊技媒体投入可ランプと、
遊技を開始するために操作されるスタートスイッチと、
複数のリールと、
内部抽せん手段と、
リールを制御するリール制御手段と、を備え、
所定の遊技で、前記内部抽せん手段により所定の結果が決定され、その後、ベット数として３が設定され且つ遊技媒体の投入が可能な所定の状況で前記スタートスイッチの操作により実行された、前記所定の遊技の次回の遊技で、前記内部抽せん手段により特定の結果が決定され、複数のリールが回転している状況下では、前記リプレイランプは消灯しており、前記１ベットランプは点灯しており、前記２ベットランプは点灯しており、前記３ベットランプは点灯しており、前記スタートランプは消灯しており、前記遊技媒体投入可ランプは消灯しており、その後、当該特定の結果に対応する図柄組合せが停止された以降の第１のタイミングにおいては、前記リプレイランプは消灯しており、前記１ベットランプは点灯しており、前記２ベットランプは点灯しており、前記３ベットランプは点灯しており、前記スタートランプは消灯しており、前記遊技媒体投入可ランプは消灯しており、その後、前記リプレイランプを点灯した後に前記スタートランプと前記遊技媒体投入可ランプとを点灯するよう構成されており、
電源供給が遮断される事象が発生し、その後電源断を検出した場合には、電源断時処理を実行可能に構成されており、
リールの制御状態として、加速状態と、前記加速状態から移行する定速状態と、を少なくとも有しており、
前記リール制御手段は、前記加速状態においてリールを加速させるための加速処理を所定期間実行可能であり、前記定速状態においてリールを一定速度で回転させるための定速処理を実行可能であり、
前記所定期間において電源断を検出し、その後、電源復帰した場合は、当該所定期間の残りの期間で加速処理を続きから実行可能である
ことを特徴とする遊技機。
【手続補正２】
【補正対象書類名】明細書
【補正対象項目名】００１７
【補正方法】変更
【補正の内容】
【００１７】
本発明に係る遊技機は、１ベットランプと、２ベットランプと、３ベットランプと、リプレイランプと、スタートランプと、遊技媒体投入可ランプと、遊技を開始するために操作されるスタートスイッチと、複数のリールと、内部抽せん手段と、リールを制御するリール制御手段と、を備え、所定の遊技で、前記内部抽せん手段により所定の結果が決定され、その後、ベット数として３が設定され且つ遊技媒体の投入が可能な所定の状況で前記スタートスイッチの操作により実行された、前記所定の遊技の次回の遊技で、前記内部抽せん手段により特定の結果が決定され、複数のリールが回転している状況下では、前記リプレイランプは消灯しており、前記１ベットランプは点灯しており、前記２ベットランプは点灯しており、前記３ベットランプは点灯しており、前記スタートランプは消灯しており、前記遊技媒体投入可ランプは消灯しており、その後、当該特定の結果に対応する図柄組合せが停止された以降の第１のタイミングにおいては、前記リプレイランプは消灯しており、前記１ベットランプは点灯しており、前記２ベットランプは点灯しており、前記３ベットランプは点灯しており、前記スタートランプは消灯しており、前記遊技媒体投入可ランプは消灯しており、その後、前記リプレイランプを点灯した後に前記スタートランプと前記遊技媒体投入可ランプとを点灯するよう構成されており、電源供給が遮断される事象が発生し、その後電源断を検出した場合には、電源断時処理を実行可能に構成されており、リールの制御状態として、加速状態と、前記加速状態から移行する定速状態と、を少なくとも有しており、前記リール制御手段は、前記加速状態においてリールを加速させるための加速処理を所定期間実行可能であり、前記定速状態においてリールを一定速度で回転させるための定速処理を実行可能であり、前記所定期間において電源断を検出し、その後、電源復帰した場合は、当該所定期間の残りの期間で加速処理を続きから実行可能であることを特徴とする遊技機。
また、本発明に係る遊技機は、データの読み書きが可能な記憶手段（例えば、ＲＡＭ）を備え、前記記憶手段は、少なくとも、設定値のデータが保存される第１の記憶領域と、未使用領域である第２の記憶領域と、遊技を進行する上で必要なデータが退避される第３の記憶領域と、を備え、前記第２の記憶領域を、前記第１の記憶領域と前記第３の記憶領域との間のアドレス位置に設定することにより、前記第３の記憶領域に退避されるデータ数が設計上の上限値を超えたとしても、設定値のデータが上書きされ難い構成としたことを特徴とする態様であってもよい。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
肌面シート、非肌面シート、及びこれらシート間に配される吸収体を備え、着用者の前後方向に対応する縦方向に沿って、前方部、後方部、及びそれらの中間に位置し、着用者の排泄部に当接する領域を含む中間部を備える吸収性物品であって、
前記吸収体は吸収性コアと、該吸収性コアの非肌側面を覆うコアラップとを有しており、
前記吸収性物品の前記縦方向と直交する横方向の両側には、前記肌面シートと前記吸収体を一体的に押圧して形成された防漏溝が、前記前方部から前記中間部を介して前記後方部に跨って形成されており、
前記中間部では、前記吸収体が、その非肌側に開口を有し、肌側に底部を有する空洞部を備え、該底部と平面視において重なる前記吸収性コアの密度が高い圧密部を、平面視において前記一対の防漏溝の間に複数備えており、
前記非肌側面を覆う前記コアラップは、前記圧密部と平面視において重なる部分を含む領域で、消臭剤を含んでいる、吸収性物品。
【請求項２】
前記吸収性コアの肌面側を覆う前記コアラップが配されている、請求項１に記載の吸収性物品。
【請求項３】
前記コアラップが前記吸収性コアの肌側面及び非肌側面を覆っており、前記吸収性コアの非肌側面を覆うコアラップはカチオン性抗菌剤を含み、肌側面を覆うコアラップは水溶性のｐＨ緩衝剤及び前記多孔性粒子を含む、請求項２に記載の吸収性物品。
【請求項４】
前記吸収体は前記中間部において、その周辺部よりも坪量が高い高坪量領域を備えており、該高坪量領域に前記圧密部を有している、請求項１〜３の何れか１項に記載の吸収性
物品。
【請求項５】
前記高坪量領域は、該高坪量領域の周囲に位置する該高坪量領域よりも坪量の低い低坪量領域よりも密度が高く、前記圧密部よりも密度が低い、請求項４に記載の吸収性物品。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行可能な遊技機において、
動作可能な可動部材と、
前記特別遊技を実行するか否かの判定情報を記憶する記憶手段と、
前記記憶手段に記憶された前記判定情報を判定する判定手段と、
前記判定手段の判定結果に応じて変動演出を実行する変動演出実行手段と、
前記変動演出を実行中の前記判定情報に対応する実行情報を表示する情報表示手段と、
前記実行情報の表示態様を変化させることで前記特別遊技が実行される可能性を示唆する表示態様変化手段と、を備え、
前記変動演出実行手段は、前記変動演出の進行に応じて前記可動部材を所定の態様で動作させることが可能であり、
前記変動演出の実行中においては、当該変動演出の進行に応じた前記可動部材の動作中よりも前記可動部材の非動作中の方が前記実行情報の表示態様の変化が発生し易いことを特徴とする遊技機。
【手続補正２】
【補正対象書類名】明細書
【補正対象項目名】０００７
【補正方法】変更
【補正の内容】
【０００７】
上記課題を解決するため、本発明は、遊技者に有利な特別遊技を実行可能な遊技機において、動作可能な可動部材と、前記特別遊技を実行するか否かの判定情報を記憶する記憶手段と、前記記憶手段に記憶された前記判定情報を判定する判定手段と、前記判定手段の判定結果に応じて変動演出を実行する変動演出実行手段と、前記変動演出を実行中の前記判定情報に対応する実行情報を表示する情報表示手段と、前記実行情報の表示態様を変化させることで前記特別遊技が実行される可能性を示唆する表示態様変化手段と、を備え、前記変動演出実行手段は、前記変動演出の進行に応じて前記可動部材を所定の態様で動作させることが可能であり、前記変動演出の実行中においては、当該変動演出の進行に応じた前記可動部材の動作中よりも前記可動部材の非動作中の方が前記実行情報の表示態様の変化が発生し易いことを特徴とする。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行可能な遊技機において、
前記特別遊技を実行するか否かの判定情報を記憶する記憶手段と、
前記記憶手段に記憶された前記判定情報を判定する判定手段と、
前記判定手段の判定結果に応じて変動演出を実行する変動演出実行手段と、
前記変動演出が開始されていない前記判定情報に対応する保留情報を表示すると共に、前記変動演出を実行中の前記判定情報に対応する実行情報を表示する情報表示手段と、
前記保留情報または前記実行情報の表示態様を変化させることで前記特別遊技が実行される可能性を示唆する表示態様変化手段と、を備え、
前記変動演出には、第１演出が実行される第１変動演出と、前記第１演出の後に前記特別遊技の実行を期待させる第２演出が実行される第２変動演出とを含み、
前記第２変動演出中における前記第２演出中に前記保留情報の表示態様が変化する割合よりも、前記第２変動演出中における前記第２演出中に前記実行情報の表示態様が変化する割合の方が高いことを特徴とする遊技機。
【手続補正２】
【補正対象書類名】明細書
【補正対象項目名】０００７
【補正方法】変更
【補正の内容】
【０００７】
上記課題を解決するため、本発明は、遊技者に有利な特別遊技を実行可能な遊技機において、前記特別遊技を実行するか否かの判定情報を記憶する記憶手段と、前記記憶手段に記憶された前記判定情報を判定する判定手段と、前記判定手段の判定結果に応じて変動演出を実行する変動演出実行手段と、前記変動演出が開始されていない前記判定情報に対応する保留情報を表示すると共に、前記変動演出を実行中の前記判定情報に対応する実行情報を表示する情報表示手段と、前記保留情報または前記実行情報の表示態様を変化させることで前記特別遊技が実行される可能性を示唆する表示態様変化手段と、を備え、前記変動演出には、第１演出が実行される第１変動演出と、前記第１演出の後に前記特別遊技の実行を期待させる第２演出が実行される第２変動演出とを含み、前記第２変動演出中における前記第２演出中に前記保留情報の表示態様が変化する割合よりも、前記第２変動演出中における前記第２演出中に前記実行情報の表示態様が変化する割合の方が高いことを特徴とする。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行可能な遊技機において、
前記特別遊技を実行するか否かの判定情報を記憶する記憶手段と、
前記記憶手段に記憶された前記判定情報を判定する判定手段と、
前記判定手段の判定結果に応じて変動演出を実行する変動演出実行手段と、
前記変動演出が開始されていない前記判定情報に対応する保留情報を表示する情報表示手段と、
前記保留情報の表示態様を変化させることで前記特別遊技が実行される可能性を示唆する表示態様変化手段と、
前記保留情報の表示態様が変化する可能性を示唆する示唆演出を実行する示唆演出実行手段と、を備え、
前記保留情報の変化後の表示態様には、複数の特別態様と、該特別態様とは種類が異なる特殊態様とがあり、
前記保留情報が前記特別態様に変化した後は、当該保留情報の表示態様が変化する可能性を示唆する前記示唆演出を実行可能である一方、
前記保留情報が前記特殊態様に変化した後は、当該保留情報の表示態様が変化する可能性を示唆する前記示唆演出を実行しないことを特徴とする遊技機。
【手続補正２】
【補正対象書類名】明細書
【補正対象項目名】０００７
【補正方法】変更
【補正の内容】
【０００７】
上記課題を解決するため、本発明は、遊技者に有利な特別遊技を実行可能な遊技機において、前記特別遊技を実行するか否かの判定情報を記憶する記憶手段と、前記記憶手段に記憶された前記判定情報を判定する判定手段と、前記判定手段の判定結果に応じて変動演出を実行する変動演出実行手段と、前記変動演出が開始されていない前記判定情報に対応する保留情報を表示する情報表示手段と、前記保留情報の表示態様を変化させることで前記特別遊技が実行される可能性を示唆する表示態様変化手段と、前記保留情報の表示態様が変化する可能性を示唆する示唆演出を実行する示唆演出実行手段と、を備え、前記保留情報の変化後の表示態様には、複数の特別態様と、該特別態様とは種類が異なる特殊態様とがあり、前記保留情報が前記特別態様に変化した後は、当該保留情報の表示態様が変化する可能性を示唆する前記示唆演出を実行可能である一方、前記保留情報が前記特殊態様に変化した後は、当該保留情報の表示態様が変化する可能性を示唆する前記示唆演出を実行しないことを特徴とする。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行可能な遊技機において、
遊技の有利度合いが異なる複数の設定値の何れかを設定する設定手段と、
前記特別遊技を実行するか否かの判定情報を記憶する記憶手段と、
前記設定手段によって設定された前記設定値に応じて、前記記憶手段に記憶された前記判定情報を判定する判定手段と、
前記判定手段の判定結果に応じて変動演出を実行する変動演出実行手段と、
前記変動演出を実行中の前記判定情報に対応する実行情報を表示する情報表示手段と、
前記実行情報を通常態様とは異なる特別態様で表示させることで前記特別遊技が実行される可能性を示唆する期待度示唆手段と、を備え、
前記複数の設定値には、第１設定値と、該第１設定値よりも有利な第２設定値とがあり、
前記特別態様には、第１特別態様と、該第１特別態様よりも前記特別遊技が実行される可能性が高い第２特別態様とがあり、
前記第１設定値が設定されている場合と前記第２設定値が設定されている場合とで、前記特別遊技を実行する前記判定情報に対応する前記実行情報が前記第２特別態様で表示される割合は同一であることを特徴とする遊技機。
【手続補正２】
【補正対象書類名】明細書
【補正対象項目名】０００７
【補正方法】変更
【補正の内容】
【０００７】
上記課題を解決するため、本発明は、遊技者に有利な特別遊技を実行可能な遊技機において、遊技の有利度合いが異なる複数の設定値の何れかを設定する設定手段と、前記特別遊技を実行するか否かの判定情報を記憶する記憶手段と、前記設定手段によって設定された前記設定値に応じて、前記記憶手段に記憶された前記判定情報を判定する判定手段と、前記判定手段の判定結果に応じて変動演出を実行する変動演出実行手段と、前記変動演出を実行中の前記判定情報に対応する実行情報を表示する情報表示手段と、前記実行情報を通常態様とは異なる特別態様で表示させることで前記特別遊技が実行される可能性を示唆する期待度示唆手段と、を備え、前記複数の設定値には、第１設定値と、該第１設定値よりも有利な第２設定値とがあり、前記特別態様には、第１特別態様と、該第１特別態様よりも前記特別遊技が実行される可能性が高い第２特別態様とがあり、前記第１設定値が設定されている場合と前記第２設定値が設定されている場合とで、前記特別遊技を実行する前記判定情報に対応する前記実行情報が前記第２特別態様で表示される割合は同一であることを特徴とする。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御する遊技機であって、
実行中の可変表示に対応した特定表示を表示可能な特定表示手段と、
少なくとも第１特定演出と、前記第１特定演出とは異なる第２特定演出と、が含まれる特定演出を実行可能な特定演出実行手段と、を備え、
前記特定表示手段は、前記第１特定演出の実行中よりも前記第２特定演出の実行中の方が、高い割合で前記特定表示を表示せず、
前記特定演出の実行中に前記特定表示を表示する場合と表示しない場合とで、前記有利状態に制御される割合が異なる、
ことを特徴とする遊技機。
【手続補正２】
【補正対象書類名】明細書
【補正対象項目名】０００７
【補正方法】変更
【補正の内容】
【０００７】
（Ａ）上記目的を達成するため、本発明に係る遊技機は、
可変表示を行い、遊技者にとって有利な有利状態に制御する遊技機（例えばパチンコ遊技機１など）であって、
実行中の可変表示に対応した特定表示を表示可能な特定表示手段（例えば画像表示装置５にアクティブ表示を行う演出制御用ＣＰＵ１２０など）と、
少なくとも第１特定演出（例えばスーパーリーチＢなど）と、前記第１特定演出とは異なる第２特定演出（例えばスーパーリーチＡなど）と、が含まれる特定演出を実行可能な特定演出実行手段（例えばスーパーリーチのリーチ演出を実行する演出制御用ＣＰＵ１２０など）と、を備え、
前記特定表示手段は、前記第１特定演出の実行中よりも前記第２特定演出の実行中の方が、高い割合で前記特定表示を表示せず（例えばスーパーリーチＡの実行中の方がスーパーリーチＢの実行中よりもアクティブ表示が非表示となる割合が高いなど）、
前記特定演出の実行中に前記特定表示を表示する場合と表示しない場合とで、前記有利状態に制御される割合が異なる（例えばステップＳ５２９の処理など）、
ことを特徴とする。
（１）また、他の遊技機として、
可変表示を行い、遊技者にとって有利な有利状態に制御する遊技機（例えばパチンコ遊技機１など）であって、
実行中の可変表示に対応した特定表示を表示可能な特定表示手段（例えば画像表示装置５にアクティブ表示を行う演出制御用ＣＰＵ１２０など）と、
特定演出を実行可能な特定演出実行手段（例えばスーパーリーチのリーチ演出を実行する演出制御用ＣＰＵ１２０など）と、を備え、
前記特定表示手段は、
前記特定演出の実行中において前記特定表示を表示する場合と、前記特定演出の実行中において前記特定表示を表示しない場合とで、前記有利状態に制御される割合が異なるように前記特定表示を表示可能である（例えばステップＳ５２９の処理を実行する演出制御用ＣＰＵ１２０など）、
ことを特徴としてもよい。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
可変表示を行うことが可能な遊技機であって、
遊技者にとって有利な特殊状態に制御可能な特殊状態制御手段と、
特別条件が成立したことにもとづいて、該特別条件が成立する前に比べて前記特殊状態に制御される頻度を高めた特別状態に制御可能な特別状態制御手段と、
前記特別状態において、前記特殊状態に制御された後の次の可変表示にもとづいて前記特殊状態に制御される場合に、該次の可変表示において、連続して前記特殊状態に制御されることを報知する特別演出を実行可能な特別演出実行手段と、を備えた
ことを特徴とする遊技機。
【手続補正２】
【補正対象書類名】明細書
【補正対象項目名】００１２
【補正方法】変更
【補正の内容】
【００１２】
（手段Ａ）本発明による遊技機は、可変表示を行うことが可能な遊技機であって、遊技者にとって有利な特殊状態（例えば、小当り遊技状態）に制御可能な特殊状態制御手段（例えば、遊技制御用マイクロコンピュータ５６０におけるステップＳ３５８〜Ｓ３６０を実行する部分）と、特別条件が成立したこと（例えば、大当りとなったこと）にもとづいて、該特別条件が成立する前に比べて特殊状態に制御される頻度を高めた特別状態（例えば、ＫＴ状態（第１ＫＴ状態、第２ＫＴ状態））に制御可能な特別状態制御手段（例えば、遊技制御用マイクロコンピュータ５６０におけるステップＳ２２０８Ａ，Ｓ２２１１Ａ，Ｓ２２１２Ａ，Ｓ２２０９Ｂ，Ｓ２２１０Ｂ，Ｓ２２１３Ｂ，Ｓ２２１４Ｂを実行する部分）と、前記特別状態において、前記特殊状態に制御された後の次の可変表示にもとづいて前記特殊状態に制御される場合に、該次の可変表示において、連続して前記特殊状態に制御されることを報知する特別演出（例えば、連続小当り演出）を実行可能な特別演出実行手段（例えば、演出制御用マイクロコンピュータ２００におけるステップＳ９２８で選択したプロセステーブルに従ってステップＳ９３３，Ｓ９４４を実行する部分）と、を備えたことを特徴とする。そのような構成によれば、特別状態に関する遊技性の単調さを解消でき、遊技に対する興趣を向上させることができる。
（手段１）また、他の遊技機として、可変表示を行うことが可能な遊技機であって、遊技者にとって有利な特殊状態（例えば、小当り遊技状態）に制御可能な特殊状態制御手段（例えば、遊技制御用マイクロコンピュータ５６０におけるステップＳ３５８〜Ｓ３６０を実行する部分）と、特別条件が成立したこと（例えば、大当りとなったこと）にもとづいて、該特別条件が成立する前に比べて特殊状態に制御される頻度を高めた特別状態（例えば、ＫＴ状態（第１ＫＴ状態、第２ＫＴ状態））に制御可能な特別状態制御手段（例えば、遊技制御用マイクロコンピュータ５６０におけるステップＳ２２０８Ａ，Ｓ２２１１Ａ，Ｓ２２１２Ａ，Ｓ２２０９Ｂ，Ｓ２２１０Ｂ，Ｓ２２１３Ｂ，Ｓ２２１４Ｂを実行する部分）と、特別状態において、特殊状態に制御された後の次の可変表示が実行されたことにもとづいて再度特殊状態に制御されるときに、特別演出（例えば、連続小当り演出）を実行可能な特別演出実行手段（例えば、演出制御用マイクロコンピュータ２００におけるステップＳ９２８で選択したプロセステーブルに従ってステップＳ９３３，Ｓ９４４を実行する部分）とを備えたことを特徴としてもよい。そのような構成によれば、特別状態に関する遊技性の単調さを解消でき、遊技に対する興趣を向上させることができる。